(57)【要約】【課題】トイレットペーパーを手で巻き取る時に、ペーパーの端が見つけづらい事や、ペーパーの一部がロールペーパーに残り、本来の幅で巻き取れない事がよくある。又清潔な手で端が三角に折りたたまれていない場合もあり、衛生面やその手間も気になる。そのような不具合を改善し、ペーパーを容易に使用できるホルダーを提供する。【解決手段】トイレットペーパーを上蓋とペーパー受け台の間から引き出して使用することにより、ペーパー受け台の上面に置かれたペーパーは、容易につかむ事が出来る。又ペーパー受け台先端に紙切りが設置されていることにより、下方に引き下げればペーパーを切る事が出来るので、次に使う人がつかみ易くなる様な長さのペーパーエンドがペーパー受け台の上面に残されるので、衛生的で簡単に誰でも使用可能なものとすることが出来る事を特徴とするロールペーパーホルダー。【選択図】図１
2011235070.tif 000002
【特許請求の範囲】
【請求項１】
壁に固定するロールペーパーホルダー枠の片側前面から突出させた腕部分のエルボーにロールペーパーを装填する心棒を設け、その腕の先端にペーパー受け台が設けてあり、ペーパー受け台には、左右にペーパーガイド、ペーパー受け台面突起、先端に紙切りを設け、形状はロールペーパーの湾曲に対応しており、ペーパー受け台の湾曲部の頂上付近に、ロールペーパーホルダー枠に上下自在になるように取り付けられた上蓋の先端が接する様な構造からなるペーパー受け台を、上蓋と心棒の間に介在させる事を特徴とするロールペーパーホルダー。
【発明の詳細な説明】
【技術分野】
【０００１】  本発明は、トイレのロールペーパーホルダーに関するものである。
【背景技術】
【０００２】  従来、トイレのロールペーパーホルダーは、切りやすい、装填しやすい、片手で切れる等の仕様で作られていた。
【発明の概要】
【発明が解決しようとする課題】
【０００３】  通常一般的に使用されているロールペーパーホルダーでは、下記のような欠点があげられる  ・トイレットペーパーの端を見つけづらい。  ・最後になると紙が取りだしにくい。  ・運良くトイレットペーパーの端を見つけたとしても、３分の１程がロールからきれい    に剥がれず、片側がロールに残りいらいらさせられる。  ・上記の３点は、コアノンロールで特に感じられる  ・トイレットペーパーを装填するとき、一般的な物は上蓋が下に垂れてきて邪魔になる  ・ホテルでは、ペーパーの端を三角に折ってあるが、清潔な手で折ってあるのか気にな    る。  ・ペーパーを下に引っ張って切れない。
【課題を解決するための手段】
【０００４】  壁に固定するロールペーパーホルダー枠の片側前面から突出させた腕部分のエルボーにロールペーパーを装填する心棒を設け、その腕部分の先端にペーパーガイドを付けたペーパー受け台を設ける。このペーパーガイドを付けたペーパー受け台は、ロールペーパーの湾曲に対応した形となっており先端には紙切りギザギザが設けてある。  ペーパー受け台の湾曲部の頂上付近にロールペーパーホルダー枠に上下自在になるように取り付けられた上蓋の先端が、接する様な構造となっている。  このペーパー受け台は、ロールペーパーの拠れとか縺れを無くし、幾多の手間を省き、つかみ易く、引き出し易く、切り易くするために、今回考案した重要個所である。  ペーパー受け台に上蓋が接している所、即ちペーパー受け台の湾曲部頂点付近から先端の紙切りギザギザが設けられている開には、ペーパー受け台面からペーパーを浮かせるために薄い三日月状の突起を複数設けている。  紙切りギザギザを設けてある部分の湾曲は、ロールペーパーの湾曲より更に大きな湾曲を設けることにより、ペーパーを引き出すときに紙切りギザギザに引っ掛からないようにするためである。  ペーパー受け台の固定されていない方の端は、ロールペーパーの端をペーパー受け台の上にセットする際、ペーパーを引き込み易いように、ペーパー受け台の片側角を少し三角に切り落としてロールペーパーホルダーの枠との間隔を少し広げてある。
【発明の効果】
【０００５】  上蓋の下のペーパー受け台に直接ロールペーパーから引き出されたペーパーが乗っており、次に使用する人が簡単にペーパーの端を持ってペーパーを引き出すことができ、気の短い人や目の見えにくい人にもいらいらすること無く使用してもらえる。  しかも、ペーパーを三角に折って準備してあるといった、有難迷惑も省けるし、又ホテル等では、便所掃除の際にペーパーを三角に折りたたみ使いやすくしてくれているが、このような作業が省略できるし、衛生的である。
【図面の簡単な説明】
【０００６】
【図１】本発明の斜視図
【図２】本発明の使用状態を示す斜視図
【図３】本発明の上蓋を開いた図
【図４】本発明の上蓋とペーパー受け台の中央を切断した左側面形状図
【発明を実施するための形態】
【０００７】  以下、本発明の実施の形態を説明する。  （イ）ロールペーパーホルダー枠（１）は、ネジ穴（８）にネジ等を挿入して壁に取り        付ける事が出来るようにしてある。  （ロ）（図１、２、３、４）に示すようにロールペーパーホルダー枠（１）に上下自在        になるように取り付けられた上蓋（２）が取り付けられている。  （ハ）（図１、３）に示すようにロールペーパーホルダー枠（１）の片側から腕状に突        き出した形のエルボーに固定された心棒（７）とその腕部分の先端にロールペー        パー（９）の湾曲に対応した形のペーパー受け台（４）を設ける。  （ニ）ペーパー受け台（４）は、ロールペーパー（９）の形状に対応した湾曲した形状        にしてあり、この湾曲部の頂上付近に上蓋（２）が接する様になっている。  （ホ）（図１、３）に示すようにペーパー受け台（４）の頂上付近から、前面の紙切り        ギザギザ（６）に向かい複数のペーパー受け台面突起（５）が設けられ、このペ        ーパー受け台面突起（５）は、薄い三日月状の突起となるような構造にしてある        。  （ヘ）（図１、２、３、４）に示すようにペーパー受け台（４）の左右両端には、ペー        パーガイド（３）が設けてある。  （ト）（図３、４）に示すようにペーパー受け台（４）の固定されてない端の内側は、        ロールペーパーホルダー枠（１）とペーパー受け台（４）の隙間を広げて、ロー        ルペーパー先端（１０）をセットし易くするために角きり（１１）がしてある。  （チ）（図４）に示すようにペーパー受け台（４）の先端には、紙切りギザギザ（６）        が設けてあり、この部分のペーパー受け台（４）の先端の湾曲は更に大きな湾曲        をもたせて、ロールペーパー端（１０）を引き出すときに、紙切りギザギザ（６        ）に引っ掛かりにくくしてある。  （リ）（図２）に示すように本発明は、以上のような構造である。
【０００８】  本発明を使用するときには、  （イ）ロールペーパー（１０）を心棒（７）に装填する。  （ロ）次に上蓋（２）を持ち上げて、ペーパー受け台（４）の固定されていない方の端        の側面後方よりロールペーパー先端（１０）を挿入して前面上方に向けて引き出        し、ペーパー受け台（４）の上に置き、そのロールペーパーの上に上蓋（２）を        乗せる。（図２、４参照）  （ハ）ペーパーを摘み易くするために設けられた、ペーパー受け台（４）のペーパー受        け台面突起（５）一例として約２ミリの高さの上に浮かんだように置かれている        ロールペーパー先端（１０）（図２参照）を摘み必要量の長さ引き出す。  （ロ）ペーパー受け台（４）には、ペーパーガイド（３）が設置してあり上蓋（２）の        自重でペーパーを押えながらペーパーを引き出すことになり、心棒（７）からロ        ールペーパーが飛び出さずに一定の位置に固定された状態で、スムースにペーパ        ーを引き出すことができる。
【０００９】  ペーパーを切る時の状態を説明すると  （イ）ペーパー受け台（４）の先端の紙切りギザギザ（６）がペーパーを引き出す時に        引っかからないように、ペーパー受け台（４）の先端の紙切りギザギザ（６）は        、ペーパー受け台（４）の中心部分の湾曲より更に大きな湾曲を持たせた先端に        に設置されている。（図４参照）  （ロ）このため途中で引っかかることなくペーパーをスムースに引き出せ、ペーパーを        切り取れることになる。  （ハ）ペーパーを切る時は、ペーパー受け台（４）の先端の紙切りギザギザ（６）にペ        ーパーを当て下方に引っ張れば、ペーパーが切れる。  （ニ）次の人がペーパー受け台（４）から、摘み上げられる程度の長さのペーパーが上        蓋（２）とペーパー受け台（４）に挟まれた形で残される。（図２参照）  （ホ）このロールペーパーホルダーにより、ストレスを感じることなくロールペーパー        を最後まで気持ちよく、清潔に使いきることができる事になる。
【符号の説明】
【００１０】  １  ロールペーパーホルダー枠  ２  上蓋  ３  ペーパーガイド  ４  ペーパー受け台  ５  ペーパー受け台面突起  ６  紙切りギザギザ  ７  心棒  ８  ネジ穴  ９  ロールペーパー１０  ロールペーパー先端１１  角きり
【図１】
2011235070.tif 000003
【図２】
2011235070.tif 000004
【図３】
2011235070.tif 000005
【図４】
2011235070.tif 000006